(57)【要約】【課題】  ポリゴンミラーの高速回転による振動伝播を遮断し、また高速回転に伴う熱によりポリゴンミラーの位置変動が起きるのを防止することができるポリゴンミラー締結構造を提供する。【解決手段】  ポリゴンミラー１が搭載されたベース基板５と書込みハウジング４を、制振鋼板ワッシャ３を介してネジ２により締結したポリゴンミラー締結構造。【選択図】  図１
2005091520.tif 000002
【特許請求の範囲】
【請求項１】
ポリゴンミラーが搭載されたベース基板と書込みハウジングを、制振鋼板ワッシャを介してネジ締結したことを特徴とするポリゴンミラー締結構造。
【請求項２】
制振鋼板ワッシャは、粘弾性樹脂層を複数備えていることを特徴とする請求項１記載のポリゴンミラー締結構造。
【請求項３】
制振効果のあるネジでベース基板と書込みハウジングを締結したことを特徴とする請求項１記載のポリゴンミラー締結構造。
【請求項４】
ネジ外周と制振鋼板ワッシャとの間に隙間が存在することを特徴とする請求項１記載のポリゴンミラー締結構造。
【請求項５】
請求項１記載のポリゴンミラー締結構造を備えたことを特徴とする画像形成装置。
【発明の詳細な説明】
【技術分野】
【０００１】
本発明は、ポリゴンミラー締結構造および画像形成装置に関する。
【背景技術】
【０００２】
ポリゴンミラーはレーザプリンタや画像形成装置のレーザ走査装置に一般的に使用されている。画像形成装置のレーザ走査装置では、ポリゴンミラーモータ(ブラシレスモータ)の回転軸に取り付けられた、正６角形や正８角形などの正多角形状のポリゴンミラーにレーザ光を照射し、その反射光を感光体に当ててスキャンさせ、光書込みを行うようになっている。
このポリゴンミラーの固定については、振動の伝播が起きないように他の光学部品と隔離したり、弾性体挿入により振動伝播の防止を行っている例が挙げられる。例えば、特許文献１では、樹脂系の材料からなる球形の防振部材で位置決めを行い、弾性的な防振部材を介して２つの筐体を締結することにより、振動の伝播を抑えるようにしている。
【特許文献１】特開平９−１５９９５５号公報
【発明の開示】
【発明が解決しようとする課題】
【０００３】
しかし、ポリゴンミラーは振動と共に発熱が伴い、この熱により樹脂系の材料、あるいはゴムの材料の変形が起こり、位置決め精度の悪化が懸念される。
そこで本発明では、ポリゴンミラーの高速回転による振動伝播を遮断し、また高速回転に伴う熱によりポリゴンミラーの位置変動が起きるのを防止することができるポリゴンミラー締結構造を提供することを目的とする。
【課題を解決するための手段】
【０００４】
上記目的を達成するために、請求項１記載の発明では、ポリゴンミラーが搭載されたベース基板と書込みハウジングを、制振鋼板ワッシャを介してネジ締結したポリゴンミラー締結構造を最も主要な特徴とする。
請求項２記載の発明では、制振鋼板ワッシャは、粘弾性樹脂層を複数設けた請求項１記載のポリゴンミラー締結構造を主要な特徴とする。
請求項３記載の発明では、制振効果のあるネジでベース基板と書込みハウジングを締結した請求項１記載のポリゴンミラー締結構造を主要な特徴とする。
請求項４記載の発明では、ネジと制振鋼板ワッシャの間に隙間が存在する請求項１記載のポリゴンミラー締結構造を主要な特徴とする。
請求項５記載の発明では、請求項１記載のポリゴンミラー締結構造を備えた画像形成装置を最も主要な特徴とする。
【発明の効果】
【０００５】
本発明によれば、ポリゴンミラーが搭載されたベース基板と書込みハウジングを、制振鋼板ワッシャを介してネジ締結したポリゴンミラー締結構造とすることで所期の目的を達成することができる。
【発明を実施するための最良の形態】
【０００６】
以下、本発明の実施形態について図面に従って説明する。
図１は本発明の実施形態に係るポリゴンミラー締結構造の正面図、図２は本発明の実施形態に係るポリゴンミラー締結構造の上面図である。
ポリゴンミラー１はベース基板５の上に搭載固定されており、ベース基板５の上で高速回転を行う。ベース基板５はネジ２により書込みハウジング４と締結され、ベース基板５と書込みハウジング４の間には振動を低減する効果のある制振鋼板ワッシャ３が挿入されている。
ポリゴンミラー１は高速で回転するため、回転による振動や熱の発生を伴うが、発生した振動と熱は制振鋼板ワッシャ３で吸収・減衰することができる。制振鋼板ワッシャ３は、鋼板間に粘弾性樹脂材を挟んだ構造であり、振動をこの粘弾性樹脂材で減衰させることが可能であり、また層を薄くすることで熱による変形の影響を最小限に抑える。
ポリゴンミラー１はレーザ光を決められた高さに維持して反射させることが必要であるため、締結部が複数である場合には各締結部の高さ位置の変動がないこととポリゴンミラー軸が傾いていないことが重要となる。
【０００７】
図３は制振鋼板ワッシャの一例を示す断面図である。４層の鋼板層７ａ、７ｂ、７ｃ、７ｄの間に３層の粘弾性樹脂層６ａ、６ｂ、６ｃが挟まれた構造となっている。
例えば鋼板層７ａが振動源であるポリゴンミラーモータに近い場合を考えると、振動は鋼板層７ａから粘弾性樹脂層６ａに伝播する。粘弾性樹脂層は振動を減衰させる機能に優れているため、この粘弾性樹脂層６ａにより振動を低減する。次の鋼板層７ｂを経由して粘弾性樹脂層６ｂでさらに振動を低減する。このように複数層に構成することでより大きな振動低減効果を得ることが可能となる。
また、制振鋼板ワッシャ３とともに、ネジ２として、制振効果のあるネジ例えばマンガン基制振合金ネジを同時に用いることにより、より大きな振動低減が可能になる。すなわち制振合金ネジにより入力となる振動の低減が可能であり、制振鋼板ワッシャ３に伝播する振動を減少させることができる。
【０００８】
図４はネジと制振鋼板ワッシャの間に隙間を設けた状態を示す上面図である。ネジ２と制振鋼板ワッシャ３の間に隙間Ｓを設け、ネジ２の軸部が制振鋼板ワッシャ３に接触しない構成となっている。この構成により振動の伝播は垂直方向に限定され、水平方向の振動によるポリゴンミラーモータのずれを抑えることで、レーザ光の変動を抑えることが可能になる。
本発明は上述したように、ポリゴンミラー１が搭載されたベース基板５と書込みハウジング４を、制振鋼板ワッシャ３を介して締結する構成にする。この構成によれば、ポリゴンモータ回転に伴う振動を吸収することができ、また熱による変化を回避することが可能である。このことにより、ビーム位置変動を発生させることなく良好な画質を得ることが可能となる。
本発明のポリゴンミラー構造は複写機、プリンタ、ファクシミリ装置などの電子写真式画像形成装置の書込み光学系に採用することができる。
【図面の簡単な説明】
【０００９】
【図１】本発明の実施形態に係るポリゴンミラー締結構造の正面図である。
【図２】本発明の実施形態に係るポリゴンミラー締結構造の上面図である。
【図３】制振鋼板ワッシャの一例を示す断面図である。
【図４】ネジと制振鋼板ワッシャの間に隙間を設けた状態を示す上面図である。
【符号の説明】
【００１０】
１  ポリゴンミラー、２  ネジ、３  制振鋼板ワッシャ、４  書込みハウジング、５  ベース基板
【図１】
2005091520.tif 000003
【図２】
2005091520.tif 000004
【図３】
2005091520.tif 000005
【図４】
2005091520.tif 000006